(57)【要約】【課題】  ネットワークサービス契約料金等を発生させることなく、発信者側に全く課金させず、着信先に課金させ且つ、ある特定の番号からのみ着信を許可するサービスを提供する。【解決手段】  外線電話端末と内線電話端末との間の回線を接続する電話システム１であって、電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認部１００と、発信者の電話番号と着信先電話番号とを着信電話番号確認部１００より受け取り、発信者電話端末２と着信先電話番号に対応する着信内線電話端末３とを呼び出す発信制御部１０２とを有する。【選択図】      図１
2005167786.tif 000002
【特許請求の範囲】
【請求項１】
着信時に一端、その呼び出しを切断し、再度、着信側の電話端末と送信側の電話端末とを自動的に接続する自動再接続方法であって、
予め登録された電話番号からの着信に対して、電話網から通知される発信元電話番号情報を認識し、呼出を着呼せず、内線電話端末の回線接続制御を行う回線接続装置または着信側で回線を一端切断し、かつその後、再接続を行うことを特徴とする自動再接続方法。
【請求項２】
着信時に一端、その呼び出しを切断し、再度、着信側の電話端末と送信側の電話端末とを自動的に接続する自動再接続方法であって、
予め登録された電話番号からの着信に対して、電話網から通知される発信元電話番号情報を認識し、呼出を着呼せずタイマを起動し、該タイマの設定時間内に発信側が回線を切断しない場合には内線電話端末の回線接続制御を行う回線接続装置または着信側でそのまま回線を接続した状態を継続し、発信者が切断した場合には、その後、再接続を行うことを特徴とする自動再接続方法。
【請求項３】
外線電話端末と内線電話端末との間の回線を接続する回線接続装置であって、
電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認手段と、
前記発信者の電話番号と着信先電話番号とを前記着信電話番号確認手段より受け取り、前記発信者の電話番号の電話端末と前記着信先電話番号に対応する電話端末とを呼び出す発信制御手段と、
を有することを特徴とする回線接続装置。
【請求項４】
前記着信電話番号確認手段は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマを起動し、該タイマの設定時間内に発信側が回線を切断しない場合にはそのまま回線を接続した状態を継続し、発信者が切断した場合には、前記発信者の電話番号と着信先電話番号とを出力することを特徴とする請求項３に記載の回線接続装置。
【請求項５】
着信時に一端、その呼び出しを切断し、再度、着信側の電話端末と送信側の電話端末とを自動的に接続する、電話端末に外付けされる自動再接続装置であって、
電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認手段と、
前記発信者の電話番号と着信先電話番号とを前記着信電話番号確認手段より受け取り、前記発信者の電話番号の電話端末と前記着信先電話番号に対応する電話端末とを呼び出す発信制御手段と、
を有することを特徴とする自動再接続装置。
【請求項６】
前記電話番号確認手段は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマを起動し、該タイマの設定時間内に発信側が回線を切断しない場合にはそのまま回線を接続した状態を継続し、発信者が切断した場合には、前記発信者の電話番号と着信先電話番号とを出力することを特徴とする請求項５に記載の自動再接続装置。
【請求項７】
着信時に一端、その呼び出しを切断し、再度、着信側と送信側の電話端末との間の回線を自動的に接続する機能を有する電話端末であって、
電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認手段と、
前記発信者の電話番号と着信先電話番号とを前記着信電話番号確認手段より受け取り、前記発信者の電話番号の電話端末と前記着信先電話番号に対応する電話端末内の電話機能部を呼び出す発信制御手段と、
を有することを特徴とする電話端末。
【請求項８】
前記着信電話番号確認手段は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマを起動し、該タイマの設定時間内に発信側が回線を切断しない場合にはそのまま回線を接続した状態を継続し、発信者が切断した場合には、前記発信者の電話番号と着信先電話番号とを出力することを特徴とする請求項７に記載の電話端末。
【発明の詳細な説明】
【技術分野】
【０００１】
本発明は電話の着信時に電話を着呼させずに、一度、自動的に切断し、かつ着信側と送信側とを再接続させる自動再接続方法、回線接続装置、自動再接続装置及び電話端末に関する。
【背景技術】
【０００２】
従来、電話網を利用した通信を行なった場合、発信元に課金されていた。着信先に課金させるにはフリーダイヤル又はフリーアクセス等のネットワークサービスを契約しなければならない。フリーダイヤル等は、ネットワークサービス利用料金が発生することと、ある特定の番号からのみ着信を許可するサービスがなく、意図しない相手からの着信も着信先で課金するという問題があった。
また、コールバック等の技術を利用した場合、今まではどうしても一度着呼を受け付けなければならず、少なからずとも送信側に課金されるという問題があった（例えば、特許文献１参照。）。
【特許文献１】特開平８−１８１７９３号公報
【発明の開示】
【発明が解決しようとする課題】
【０００３】
本発明は、このような事情に鑑みてなされたものであり、ネットワークサービス契約料金等を発生させることなく、発信者側に全く課金させず、着信先に課金させ且つ、ある特定の番号からのみ着信を許可するサービスを提供することができる自動再接続方法、回線接続装置及び電話端末装置を提供することを目的とする。
【課題を解決するための手段】
【０００４】
上記目的を達成するために請求項１に記載の発明は、着信時に一端、その呼び出しを切断し、再度、着信側の電話端末と送信側の電話端末とを自動的に接続する自動再接続方法であって、予め登録された電話番号からの着信に対して、電話網から通知される発信元電話番号情報を認識し、呼出を着呼せず、内線電話端末の回線接続制御を行う回線接続装置または着信側で回線を一端切断し、かつその後、再接続を行うことを特徴とする。
【０００５】
また、請求項２に記載の発明は、着信時に一端、その呼び出しを切断し、再度、着信側の電話端末と送信側の電話端末とを自動的に接続する自動再接続方法であって、予め登録された電話番号からの着信に対して、電話網から通知される発信元電話番号情報を認識し、呼出を着呼せずタイマを起動し、該タイマの設定時間内に発信側が回線を切断しない場合には内線電話端末の回線接続制御を行う回線接続装置または着信側でそのまま回線を接続した状態を継続し、発信者が切断した場合には、その後、再接続を行うことを特徴とする。
【０００６】
また、請求項３に記載の発明は、外線電話端末と内線電話端末との間の回線を接続する回線接続装置であって、電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認手段と、前記発信者の電話番号と着信先電話番号とを前記着信電話番号確認手段より受け取り、前記発信者の電話番号の電話端末と前記着信先電話番号に対応する電話端末とを呼び出す発信制御手段とを有することを特徴とする。
【０００７】
また、請求項４に記載の発明は、請求項３に記載の回線接続装置において、前記着信電話番号確認手段は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマを起動し、該タイマの設定時間内に発信側が回線を切断しない場合にはそのまま回線を接続した状態を継続し、発信者が切断した場合には、前記発信者の電話番号と着信先電話番号とを出力することを特徴とする。
【０００８】
また、請求項５に記載の発明は、着信時に一端、その呼び出しを切断し、再度、着信側の電話端末と送信側の電話端末とを自動的に接続する、電話端末に外付けされる自動再接続装置であって、電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認手段と、前記発信者の電話番号と着信先電話番号とを前記着信電話番号確認手段より受け取り、前記発信者の電話番号の電話端末と前記着信先電話番号に対応する電話端末とを呼び出す発信制御手段とを有することを特徴とする。
【０００９】
また、請求項６に記載の発明は、請求項５に記載の自動再接続装置において、前記電話番号確認手段は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマを起動し、該タイマの設定時間内に発信側が回線を切断しない場合にはそのまま回線を接続した状態を継続し、発信者が切断した場合には、前記発信者の電話番号と着信先電話番号とを出力することを特徴とする。  
【００１０】
また、請求項７に記載の発明は、着信時に一端、その呼び出しを切断し、再度、着信側と送信側の電話端末との間の回線を自動的に接続する機能を有する電話端末であって、電話の着信時に電話網から通知される発信者の電話番号を認識し、発信者の電話番号が予め登録されている電話番号に該当するか否かを判定し、予め登録されている電話番号に該当する場合に、その呼出を一度切断し、前記発信者の電話番号と着信先電話番号とを出力する着信電話番号確認手段と、前記発信者の電話番号と着信先電話番号とを前記着信電話番号確認手段より受け取り、前記発信者の電話番号の電話端末と前記着信先電話番号に対応する電話端末内の電話機能部を呼び出す発信制御手段とを有することを特徴とする。
【００１１】
また、請求項８に記載の発明は、請求項７に記載の電話端末において、前記着信電話番号確認手段は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマを起動し、該タイマの設定時間内に発信側が回線を切断しない場合にはそのまま回線を接続した状態を継続し、発信者が切断した場合には、前記発信者の電話番号と着信先電話番号とを出力することを特徴とする。
【発明の効果】
【００１２】
本発明によれば、予め登録された電話番号からの着信に対して、電話網から通知される発信元電話番号情報を認識し、呼出を着呼せず、内線電話端末の回線接続制御を行う回線接続装置または着信側で回線を一端切断し、かつその後、再接続を行うようにしたので、ネットワークサービス契約料金等を発生させることなく、発信者側に全く課金させず、着信先に課金させ且つ、ある特定の番号からのみ着信を許可するサービスを提供することができる。
【発明を実施するための最良の形態】
【００１３】
以下、本発明の実施形態を、図面を参照して詳細に説明する。本発明の第１実施形態に係る回線接続装置の構成を図１に示す。本実施形態に係る回線接続装置は、着信時に一端、その呼び出しを切断し、再度、着信側の電話端末と送信側の電話端末とを自動的に接続する自動再接続方法であって、予め登録された電話番号からの着信に対して、電話網から通知される発信元電話番号情報を認識し、呼出を着呼せず、内線電話端末の回線接続制御を行う回線接続装置または着信側で回線を一端切断し、かつその後、再接続を行うことを特徴とする自動再接続方法を実施するための装置である。
【００１４】
図１において、回線接続装置としての電話システム１は、ＰＢＸ、ビジネスホンなど、電話の着信時に発信者電話番号を認識できる装置である。電話システム１は着信電話番号確認部１００と、発信制御部１０２とを有している。
着信電話番号確認部１００は、発信者が所有する発信者電話端末から受ける電話番号情報を認識し、また予め登録された電話番号情報に該当するものがあるか否かを判定し、また発信制御部１０２へ発信元電話番号情報、着信先電話番号情報を受け渡すことができる機能モジュールである。着信電話番号確認部１００は、本発明の着信電話番号確認手段に相当する。
【００１５】
また、発信制御部１０２は、内線電話機、もしくは外線へ指定された電話番号に発信できる機能モジュールである。発信制御部１０２は本発明の発信制御手段に相当する。
発信者電話端末２は、電話網を介して電話システム１と接続され、発信及び着信が可能な電話機であり、着信内線電話端末３は、電話システム１０１に接続され、着信が可能な電話機である。
【００１６】
本発明の第１実施形態に係る回線接続装置としての電話システム１の自動再接続動作を図２のフローチャートを参照して説明する。同図において、ステップ２０１では、発信者電話端末２から電話システム１に接続された着信内線電話端末３へ着信を受け、ステップ２０２に移行する。
【００１７】
次いで、ステップ２０２では、着信電話番号確認部１００で発信者の電話番号情報の有無を判断する。電話番号情報が有りの場合、ステップ２０３へ移行し、電話番号情報が無しの場合、ステップ２０７へ移行する。
ステップ２０３では、発信者の電話番号情報が予め登録されている電話番号情報と一致するか否かを判定する。一致する場合、発信制御部１０２に発信元電話番号情報と着信先電話番号情報を受け渡し、ステップ２０４へ移行し、一致しない場合、ステップ２０７へ移行する。
【００１８】
ステップ２０４では、相手からの着信を着信拒否で電話を切断し、ステップ２０５へ移行する。
ステップ２０５では、発信制御部１０２において、ステップ２０３で受け取った発信元電話番号と着信先電話番号へ発信し、ステップ２０６へ移行する。
ステップ２０６では、発信電話端末２と着信内線電話端末３が双方で応答後、通話を開始し、その後待機状態に戻る。
一方、ステップ２０７では、発信者電話端末２の着信要求を元に、対応する内線電話を呼び出し、その後待機状態に戻る。
【００１９】
本発明の第１実施形態に係る回線接続装置によれば、電話の着信時に電話網から通知される発信者の電話番号を認識し、予め登録されている電話番号に該当する場合に、その呼出を一度切断し、前記発信者の電話番号の電話端末と、着信先電話番号に対応する内線電話端末とを呼び出し、電話を自動再接続するようにしたので、ネットワークサービス契約料金等を発生させることなく、発信者側に全く課金させず、着信先に課金させ且つ、ある特定の番号からのみ着信を許可するサービスを提供することができる。
【００２０】
なお、本実施形態では、既述した自動再接続機能をＰＢＸ等の回線接続装置に持たせるようにしたが、これに限らず、電話端末に外付けして接続される自動再接続装置としてのアダプタに持たせるようにしてもよい。
さらに、電話端末３に、自動再接続機能を持たせるようにしてもよい。これらの場合にも上述した回線接続装置と同様の効果が得られる。
【００２１】
ここで、「自動再接続機能」とは、「電話の着信時に電話網から通知される発信者の電話番号を認識し、予め登録されている電話番号に該当する場合に、その呼出を一度切断し、前記発信者の電話番号の電話端末と、着信先電話番号に対応する内線電話端末または、内線電話端末内の電話機能部とを呼び出し、電話を自動再接続する機能」を意味する。
【００２２】
次に、本発明の第２実施形態に係る回線接続装置の構成を図３に示す。本実施形態に係る回線接続装置は、着信時に一端、その呼び出しを切断し、再度、着信側の電話端末と送信側の電話端末とを自動的に接続する自動再接続方法であって、予め登録された電話番号からの着信に対して、電話網から通知される発信元電話番号情報を認識し、呼出を着呼せず、タイマを起動し、該タイマの設定時間内に発信側が切断しない場合には内線電話端末の回線接続制御を行う回線接続装置または着信側でそのまま回線を接続した状態を継続し、発信者が切断した場合には、その後、再接続を行うことを特徴とする自動再接続方法を実施するための装置である。
【００２３】
図３において、回線接続装置としての電話システム１は、ＰＢＸ、ビジネスホンなど、電話の着信時に発信者電話番号を認識できる装置である  。電話システム１は着信電話番号確認部１００と、発信制御部１０２とを有している。
着信電話番号確認部１００は、発信者が所有する発信者電話端末から受ける電話番号情報を認識し、また予め登録された電話番号情報に該当するものがあるか否かを判定し、また発信制御部１０２へ発信元電話番号情報、着信先電話番号情報を受け渡すことができる機能モジュールである。着信電話番号確認部１００は、本発明の着信電話番号確認手段に相当する。
【００２４】
また、発信制御部１０２は、内線電話機、もしくは外線へ指定された電話番号に発信できる機能モジュールであり、発信制御部１０２内にはタイマ部１０４が設けられており、このタイマ部１０４は着信電話番号確認部１００により起動されるようになっている。発信制御部１０２は本発明の発信制御手段に、タイマ部１０４は本発明のタイマに、それぞれ相当する。
タイマ部１０４は、着信した回線を監視し、タイマ値が設定され、かつ設定されたタイマ値以内に切断された場合に、発信制御部１０３を動作させる機能モジュールである。
【００２５】
着信電話番号確認部１００は、電話の着信時に電話網から通知される発信者の電話番号を認識し、発信者の電話番号が予め登録されている電話番号に該当するか否かを判定し、予め登録されている電話番号に該当する場合に、その呼出を着呼せずタイマ部１０４を起動し、タイマ部１０４の設定時間内に発信側が回線を切断しない場合にはそのまま回線を接続した状態を継続し、発信者が切断した場合には、前記発信者の電話番号と着信先電話番号とを発信制御部１０２に出力する機能を有している。
【００２６】
発信者電話端末２は、電話網を介して電話システム１と接続され、発信及び着信が可能な電話機であり、着信内線電話端末３は、電話システム１０１に接続され、着信が可能な電話機である。
本発明の第２実施形態に係る回線接続装置としての電話システム１の自動再接続動作を図４のフローチャートを参照して説明する。同図において、ステップ３０１では、発信者電話端末２から電話システム１に接続された着信内線電話端末３へ着信を受け、ステップ３０２に移行する。
【００２７】
次いで、ステップ３０２では、着信電話番号確認部１００で発信者の電話番号情報の有無を判断する。電話番号情報が有りの場合、ステップ３０３へ移行し、電話番号情報が無しの場合、ステップ３０９へ移行する。
ステップ３０３では、発信者の電話番号情報が予め登録されている電話番号情報と一致するか否かを判定する。一致する場合、発信制御部１０２に発信元電話番号情報と着信先電話番号情報を受け渡し、ステップ３０４へ移行し、一致しない場合、ステップ３０９へ移行する。
【００２８】
ステップ３０４では、タイマ部１０４にタイマ値（時間）が設定されている場合にはステップ３０５へ移行し、設定されていない場合にはステップ３０６へ移行する。
ステップ３０５では、発信者電話端末２が切断するまでの時間がタイマ部１０４に設定されたタイマ値以内である場合には、ステップ３０７に移行し、ステップ３０７では、タイマ値を超えた場合にはステップ３０９に移行する。
一方、ステップ３０６では、相手からの着信を着信拒否で電話を切断し、ステップ３０７へ移行する。
【００２９】
ステップ３０７では、発信制御部１０２において、ステップ３０３で受け取った発信元電話番号と着信先電話番号へ発信し、ステップ３０８へ移行する。
ステップ３０８では、発信電話端末２と着信内線電話端末３が双方で応答後、通話を開始し、その後待機状態に戻る。
ステップ３０９では、発信者電話端末２の着信要求を元に、対応する内線電話を呼び出し、その後待機状態に戻る。
【００３０】
本発明の第２実施形態に係る回線接続装置によれば、第１実施形態と同様に、電話の着信時に電話網から通知される発信者の電話番号を認識し、予め登録されている電話番号に該当する場合に、その呼出を一度切断し、前記発信者の電話番号の電話端末と、着信先電話番号に対応する内線電話端末とを呼び出し、電話を自動再接続するようにしたので、ネットワークサービス契約料金等を発生させることなく、発信者側に全く課金させず、着信先に課金させ且つ、ある特定の番号からのみ着信を許可するサービスを提供することができる。
【００３１】
なお、本実施形態では、既述した自動再接続機能をＰＢＸ等の回線接続装置に持たせるようにしたが、これに限らず、電話端末に外付けして接続される自動再接続装置としてのアダプタに持たせるようにしてもよい。
さらに、図５に示すように、電話端末４に、着信電話番号確認部４００、タイマ４０４を内蔵する発信制御部４０２を設けることにより、自動再接続機能を持たせるようにしてもよい。これらの場合にも上述した回線接続装置と同様の効果が得られる。
【００３２】
ここで、「自動再接続機能」とは、「電話の着信時に電話網から通知される発信者の電話番号を認識し、予め登録されている電話番号に該当する場合に、その呼出を一度切断し、前記発信者の電話番号の電話端末と、着信先電話番号に対応する内線電話端末または、内線電話端末内の電話機能部とを呼び出し、電話を自動再接続する機能」、あるいは「予め登録された電話番号からの着信に対して、電話網から通知される発信元電話番号情報を認識し、呼出を着呼せずタイマを起動し、該タイマの設定時間内に発信側が回線を切断しない場合には内線電話端末の回線接続制御を行う回線接続装置または着信側でそのまま回線を接続した状態を継続し、発信者が切断した場合には、その後、再接続を行う機能」を意味する。
【図面の簡単な説明】
【００３３】
【図１】本発明の第１実施形態に係る回線接続装置の構成を示すブロック図。
【図２】図１に示した本発明の第１実施形態に係る回線接続装置の動作を示すフローチャート。
【図３】本発明の第２実施形態に係る回線接続装置の構成を示すブロック図。
【図４】図３に示した本発明の第２実施形態に係る回線接続装置の動作を示すフローチャート。
【図５】本発明の実施形態に係る電話端末の構成を示すブロック図。
【符号の説明】
【００３４】
１…電話システム
２…発信者電話端末
３…着信内線電話端末
４…着信電話端末
１００、４００…着信電話番号確認部
１０２、４０２…発信制御部
１０４、４０４…タイマ部
【図１】
2005167786.tif 000003
【図２】
2005167786.tif 000004
【図３】
2005167786.tif 000005
【図４】
2005167786.tif 000006
【図５】
2005167786.tif 000007